(57)【要約】【課題】  コネクタ端子同士を接続する際に、コネクタ端子間のずれを軽減することができるコネクタを提供する。【解決手段】  本発明は、コネクタ端子に関する。そしてコネクタ端子は、他のコネクタ端子と嵌合する嵌合部と、嵌合部を載置するものであって、複数の透孔を有する板部とを備えるコネクタ端子本体と、透孔のそれぞれに配置されており、透孔を貫通して当該コネクタ端子側の装置の一面に固着する柱状の留具と、コネクタ端子本体と上記一面との間に配置するばねとを備え、留具の一部又は全部について、それぞれ、透孔と当接する部分の一部又は全部に、上記一面の方向に向かって徐徐に外周が短くなるテーパ部が形成されていることを特徴とする。【選択図】      図１
2011054485.tif 000002
【特許請求の範囲】
【請求項１】
コネクタ端子において、
他のコネクタ端子と嵌合する嵌合部と、上記嵌合部を載置するものであって、複数の透孔を有する板部とを備えるコネクタ端子本体と、
上記透孔のそれぞれに配置されており、上記透孔を貫通して当該コネクタ端子側の装置の一面に固着する柱状の留具と、
上記コネクタ端子本体と上記一面との間に配置するばねとを備え、
上記留具の一部又は全部について、それぞれ、上記透孔と当接する部分の一部又は全部に、上記一面の方向に向かって徐徐に外周が短くなるテーパ部が形成されていること
を特徴とするコネクタ端子。
【請求項２】
上記嵌合部は、上方向を向くように配置されており、上記板部は、水平になるように配置されていることを特徴とする請求項１に記載のコネクタ端子。
【請求項３】
第１のコネクタ端子と、第２のコネクタ端子とを備えるコネクタにおいて、
少なくとも、上記第１のコネクタ端子又は上記第２のコネクタ端子の一方に、請求項１又は２に記載のコネクタ端子を適用したこと
を特徴とするコネクタ。
【請求項４】
コネクタ端子を有するコネクタ端子利用装置において、
上記コネクタ端子として請求項１又は２に記載のコネクタ端子を適用したことを特徴とするコネクタ端子利用装置。
【発明の詳細な説明】
【技術分野】
【０００１】
本発明は、コネクタ端子、コネクタ及びコネクタ端子利用装置に関し、例えば、金融機関に設置されているＡＴＭ等の紙葉類自動取引装置に適用し得る。
【背景技術】
【０００２】
従来、例えば、金融機関に設置されているＡＴＭ等の紙葉類自動取引装置において、顧客が入金した紙幣や、出金のための紙幣を収納しておく紙幣カセットがあり、この紙幣カセットは係員が補充・回収を行なえるように着脱可能となっている。着脱部には紙幣カセット内のアクチュエータ・センサ等に電気信号等を供給するために、カセット側と装置本体側それぞれにコネクタを持ち、接続するようになっている。
【０００３】
このような、装置間を接続するコネクタとしては、従来、特許文献１に記載のコネクタのように、アリ溝形状の凹条と、その凹条に嵌合する凸条により接続するコネクタがある。特許文献１に記載のコネクタでは、アリ溝形状の凹条の側面から凸条を挿入する必要があることや、挿入後に摺動させてコネクタの位置決めを行う必要があること等、コネクタ端子を接続する作業が不便であることから、例えば、円柱状の雄型コネクタ端子と、雄型コネクタ端子を嵌合させる凹部を有する雌型コネクタ端子を嵌合することにより接続するコネクタを用いることも一般的である。
【０００４】
しかしながら、上述の雄型コネクタ端子と、雌型コネクタ端子を嵌合するコネクタでは、正確な位置に嵌合を行わなければ、接続できないばかりか、コネクタ端子が破損してしまう恐れがある。
【０００５】
この課題を解決するものとして、従来、雄型コネクタ端子の先端、及び、雌型コネクタ端子の凹部の開口部にテーパ面を設けることにより、ずれた位置で挿入を試みたとしても、互いのコネクタ端子のテーパ面が誘導し合うことにより、正確に嵌合することができるコネクタも存在する。
【先行技術文献】
【特許文献】
【０００６】
【特許文献１】特開平１０−６４６３９号公報
【発明の概要】
【発明が解決しようとする課題】
【０００７】
しかしながら、上述のコネクタ端子にテーパ面を設けたコネクタでは、コネクタ端子を嵌合する際のずれの許容差が、互いのテーパの大きさで決まるため、テーパの大きさ以上の許容差は吸収できず、無理に挿入しようとすると、やはり、コネクタ端子が正確に接続できない等の問題点がある。
【０００８】
そのため、コネクタ端子同士を接続する際に、コネクタ端子間のずれを軽減することができるコネクタが望まれている。
【課題を解決するための手段】
【０００９】
第１の本発明は、コネクタ端子において、（１）他のコネクタ端子と嵌合する嵌合部と、（２）上記嵌合部を載置するものであって、複数の透孔を有する板部とを備えるコネクタ端子本体と、（３）上記透孔のそれぞれに配置されており、上記透孔を貫通して当該コネクタ端子側の装置の一面に固着する柱状の留具と、（４）上記コネクタ端子本体と上記一面との間に配置するばねとを備え、（５）上記留具の一部又は全部について、それぞれ、上記透孔と当接する部分の一部又は全部に、上記一面の方向に向かって徐徐に外周が短くなるテーパ部が形成されていることを特徴とする。
【００１０】
第２の本発明は、第１のコネクタ端子と、第２のコネクタ端子とを備えるコネクタにおいて、少なくとも、上記第１のコネクタ端子又は上記第２のコネクタ端子の一方に、第１の本発明のコネクタ端子を適用したことを特徴とする。
【００１１】
第３の本発明は、コネクタ端子を有するコネクタ端子利用装置において、上記コネクタ端子として第１の本発明のコネクタ端子を適用したことを特徴とする。
【発明の効果】
【００１２】
コネクタ端子を接続する際に、コネクタ端子間のずれを軽減することができるコネクタを提供する。
【図面の簡単な説明】
【００１３】
【図１】実施形態に係るコネクタの構成について示した側面図である。
【図２】実施形態に係る装置側コネクタ端子の構成について示した上面図である。
【図３】実施形態に係るスタッドの外観について示した斜視図である。
【図４】実施形態に係るコネクタにおいて、コネクタ端子を嵌合する動作について示した説明図である。
【図５】実施形態に係るコネクタにおいて、コネクタ端子の嵌合が解除される際の動作について示した説明図である。
【図６】実施形態に係るスタッドに、テーパ部を設けなかった場合と設けた場合に発生する、スタッドのずれ幅の差異について示した説明図である。
【発明を実施するための形態】
【００１４】
（Ａ）主たる実施形態
以下、本発明によるコネクタ端子、コネクタ及びコネクタ端子利用装置の一実施形態を、図面を参照しながら詳述する。なお、この実施形態のコネクタ端子利用装置は、自動取引装置である。
【００１５】
（Ａ−１）実施形態の構成
図１は、この実施形態に係るコネクタ１０の構成について示した側面図である。
【００１６】
図１において、コネクタ１００は、金融機関に設置されているＡＴＭ等の自動取引装置と、その自動取引装置において、紙幣を収納しておく紙幣カセットとの間を接続し、電気信号等の授受を行うものである。カセット側コネクタ端子１１０は、上述の紙幣カセット側のコネクタ端子であり、装置側コネクタ端子１２０は、上述の自動取引装置本体のコネクタ端子である。なお、コネクタ１００（カセット側コネクタ端子１１０、装置側コネクタ端子１２０）が利用される装置としては、例えば、通信装置本体と、その通信装置に搭載されるパッケージ（モジュール）等であってもよく、紙幣カセットを搭載した自動取引装置に限定されないものである。
【００１７】
コネクタ１００は、図１に示すように、雌型のカセット側コネクタ端子１１０が上方向から下りてきて、雄型の装置側コネクタ端子１２０と嵌合することにより、２つの装置の間を接続する。
【００１８】
図２は、この実施形態に係る装置側コネクタ端子１２０の構成について示した上面図である。
【００１９】
カセット側コネクタ端子１１０は、被嵌合部１１１、コンタクト１１２、及び被覆導線１１３を有している。
【００２０】
装置側コネクタ端子１２０は、嵌合部１２１、コンタクト１２２、被覆導線１２３、２つのスタッド１２４−１、１２４−２、及び２つのスプリング１２５−１、１２５−２を有している。
【００２１】
カセット側コネクタ端子１１０の被嵌合部１１１は、四角柱状に形成されており、四角柱の一端が紙幣カセットの一面（以下、「カセット一面」という）２００に固着されている。また、被嵌合部１１１には、カセット一面２００に固着した面の反対側に、装置側コネクタ端子１２０と嵌合するための、凹部（以下、「嵌合凹部」という）１１１ａが形成されている。
【００２２】
装置側コネクタ端子１２０の嵌合部１２１には、カセット側コネクタ端子１１０（嵌合凹部１１１ａ）と嵌合するための四角柱形状に形成された凸部（以下、「嵌合凸部」という）１２１ａが形成され、さらに、嵌合凸部１２１ａは、四角形の板状の板部１２１ｂに載置、固着されている。また、板部１２１ｂには、嵌合凸部１２１ａの両脇の部分に、後述するスタッド１２４−１、１２４−２を、それぞれ貫通させるための２つの透孔１２１ｄ−１、１２１ｄ−２が形成されている。なお、板部１２１ｂにおける透孔の数及び位置は限定されないものである。
【００２３】
また、被嵌合部１１１、嵌合部１２１は、中実又は中空のいずれに形成されていても良い。また、被嵌合部１１１、嵌合部１２１は、電気絶縁の材質で構成されている。被嵌合部１１１、嵌合部１２１に採用される電気絶縁の材質としては、例えば、ＰＢＴ（Ｐｏｌｙｂｕｔｙｌｅｎｅ  Ｔｅｒｅｐｈｔｈａｌａｔｅ）が挙げられる。
【００２４】
装置側コネクタ端子１２０の嵌合凸部１２１ａには、先端に向かって徐徐に外周が短くなるテーパ部１２１ｃが形成されている。そして、カセット側コネクタ端子１１０の嵌合凹部１１１ａには、開口部に向かって徐徐に内周が長くなるテーパ部１１１ｂが形成されている。テーパ部１１１ｂ及びテーパ部１２１ｃにより、カセット側コネクタ端子１１０と装置側コネクタ端子１２０とを嵌合させようとする際に、ずれがあったとしても、テーパ形状部分が誘導し合うことにより、正確に嵌合される。
【００２５】
カセット側コネクタ端子１１０では、嵌合凹部１１１ａの最も奥の部分に導電性の材質で形成されたコンタクト１１２が備えられている。また、装置側コネクタ端子１２０にも、嵌合凸部１２１ａの先端部分に、導電性の材質で形成されたコンタクト１２２が備えられている。カセット側コネクタ端子１１０（嵌合凹部１１１ａ）と装置側コネクタ端子１２０（嵌合凸部１２１ａ）が嵌合すると、コンタクト１１２とコンタクト１２２が接触し、カセット側コネクタ端子１１０と装置側コネクタ端子１２０は電気的に接続することができる。
【００２６】
コンタクト１１２には、被覆導線１１３の一端が固着しており、被覆導線１１３は、カセット一面２００から紙幣カセット内へ引き込まれ、図示しない紙幣カセット内の回路等に接続されている。また、コンタクト１２２には、被覆導線１２３の一端が固着しており、被覆導線１２３は、自動取引装置の一面（以下、「装置一面」という）３００から自動取引装置内へ引き込まれ、図示しない自動取引装置内の回路等に接続されている。
【００２７】
この実施形態においては、コンタクト１１２、１２２は、それぞれ円形の板形状のものとするが、その他にも例えば、角型、板ばね状、突起状などであってもよく、形状は限定されないものである。また、図１及び図２においては、カセット側コネクタ端子１１０と装置側コネクタ端子１２０のコンタクト部はそれぞれ一つの構成としているが、備えるコンタクト部の数や、配置位置は限定されないものである。
【００２８】
なお、カセット側コネクタ端子１１０、及び嵌合凸部１２１ａ（コンタクト１２２及び被覆導線１２３を含む）としては、既存の、１又は複数の電線同士を中継接続するコネクタ（電線対電線接続コネクタ）を適用することができる。
【００２９】
次に、装置側コネクタ端子１２０において、コネクタ端子の本体部分（嵌合部１２１）を支持するスタッド１２４−１、１２４−２及びスプリング１２５−１、１２５−２について説明する。
【００３０】
図３は、スタッド１２４の斜視図である。
【００３１】
スタッド１２４−１、１２４−２は、装置側コネクタ端子１２０の動作を規制するものであり、段差の付いた円柱形状に形成されている。なお、スタッド１２４−１、１２４−２は、中実又は中空のいずれであっても良い。スタッド１２４−１、１２４−２は、それぞれ、装置側コネクタ端子１２０（嵌合部１２１）の透孔１２１ｄ−１、１２１ｄ−２を貫通して、装置一面３００に固着されている。なお、この実施形態においては、スタッド１２４−１、１２４−２は同一の形状であるものとするが、それぞれ、異なる形状であっても良い。
【００３２】
この実施形態においては、スタッド１２４−１、１２４−２は、例として、銅合金等の金属で構成されているものとするが、材質は限定されないものである。
【００３３】
スタッド１２４−１、１２４−２には、それぞれ、外径が透孔１２１ｄ−１、１２１ｄ−２の孔径よりも広いヘッド部１２４ａ−１、１２４ａ−２が形成されている。ヘッド部１２４ａ−１、１２４ａ−２により、スタッド１２４−１、１２４−２は、透孔１２１ｄ−１、１２１ｄ−２から抜けることを防止している。
【００３４】
また、スタッド１２４−１、１２４−２には、それぞれ、ヘッド部１２４ａ−１、１２４ａ−２の下部に、ヘッド部１２４ａ−１、１２４ａ−２の方向から装置一面３００の方向に徐徐に外径が狭くなる（外周が短くなる）テーパ部１２４ｂ−１、１２４ｂ−２が形成されている。
【００３５】
なお、以下の説明においては、テーパ部１２４ｂ−１、１２４ｂ−２の一番外径が大きい部分の外径をφＣ、一番外径が小さい部分の外径をφＡと呼ぶものとする。また、透孔１２１ｄ−１、１２１ｄ−２の孔径をφＢと呼ぶものとする。なお、この実施形態においては、φＢとφＣの関係は、φＢ＜φＣであるものとする。
【００３６】
スタッド１２４−１、１２４−２には、それぞれ、つるまきばね状のスプリング１２５−１、１２５−２が巻きつけられており、スプリング１２５−１、１２５−２は、板部１２１ｂと装置一面３００の間に挟まれた状態となっている。これにより、板部１２１ｂは、スプリング１２５−１、１２５−２により押し上げられる力が加わる。
【００３７】
なお、図１では、スプリング１２５は、つるまきばね状のものであるものとしているが、板ばね等他のばねに置き換えるようにしても良い。また、図１では、スタッド１２４−１、１２４−２のそれぞれにスプリング１２５−１、１２５−２が配置されているが、一部のスタッド１２４にだけ配置するようにしても良いし、スプリング１２５をスタッド１２４とは別の位置に配置して、一端を板部１２１ｂ又は装置一面３００に固着するようにしても良い。
【００３８】
スプリング１２５−１、１２５−２は、例えば、カセット本体２００を装置本体３００にセットする際に、カセット側コネクタ端子１１０と装置側コネクタ端子１２０の嵌合を確実にするため、カセット側コネクタ端子１１０を押し付ける役割をしており、他にもカセット本体２００を装置本体３００にセットする際の衝撃によるコネクタ端子等の破損を防止する機能等を担っている。
【００３９】
（Ａ−２）実施形態の動作
次に、以上のような構成を有するこの実施形態のコネクタ１００の動作を説明する。
【００４０】
（Ａ−２−１）コネクタ嵌合時の動作
図４は、コネクタ１００を嵌合させる際の動作の例について示した説明図である。
【００４１】
図４（ａ）は、カセット側コネクタ端子１１０と装置側コネクタ端子１２０を嵌合させる際に、ずれがある様子について示している。
【００４２】
図４（ａ）に示すように、カセット側コネクタ端子１１０と装置側コネクタ端子１２０を嵌合させる際に、ずれがあったとしても、カセット側コネクタ端子１１０の嵌合凹部１１１ａには、テーパ部１１１ｂが設けられており、装置側コネクタ端子１２０の嵌合凸部１２１ａには、テーパ部１２１ｃが設けられているため、テーパ同士が誘導しあって、図４（ｂ）に示すように、正確に嵌合する。
【００４３】
そして、図４（ｂ）に示すように、カセット側コネクタ端子１１０（嵌合凹部１１１ａ）と装置側コネクタ端子１２０（嵌合凸部１２１ａ）が正確に嵌合し、カセット側コネクタ端子１１０側のコンタクト１１２と装置側コネクタ端子１２０側のコンタクト１２２が接触するまで、カセット側コネクタ端子１１０が下がると共に、カセット側コネクタ端子１１０により、装置側コネクタ端子１２０が押し下げられ、図４（ｃ）の状態になる。
【００４４】
（Ａ−２−２）コネクタの嵌合解除時の動作
次に、コネクタ１００においてコネクタ端子の嵌合が解除される際の動作について説明する。
【００４５】
図５は、コネクタ１００においてコネクタ端子の嵌合が解除される際の、カセット側コネクタ端子１１０（板部１２１ｂ）と、スタッド１２４−１に係る動作について説明している。
【００４６】
なお、カセット側コネクタ端子１１０（板部１２１ｂ）と、スタッド１２４−２に係る動作については、図５に示すスタッド１２４−１に係る動作と同様であるため詳しい説明を省略する。
【００４７】
図５（ａ）は、上述の図４（ｃ）に示す、紙幣カセットが自動取引装置本体にセットされているときの、板部１２１ｂとスタッド１２４−１の状態を示している。
【００４８】
図５（ａ）の状態において、カセット側コネクタ端子１１０は、カセット本体２００の重量により、下方向に下がり、さらに、カセット側コネクタ端子１１０により板部１２１ｂが押し下げられる。
【００４９】
図５（ａ）では、カセット側コネクタ端子１１０が下方向に押されている状態において、テーパ部１２４ｂ−１の下端（最も直径が小さい部分）と、板部１２１ｂの上面との高さの差分（以下、「Ｍ」という）が、Ｍ≧０となっている（テーパ部１２４ｂ−１の下端が、板部１２１ｂの上面よりも上にある場合にはＭは負の数値となる）。
【００５０】
図５（ａ）の状態においてＭ≧０となることで、カセット側コネクタ端子１１０及び装置側コネクタ端子１２０は、φＢ−φＡだけ、左右及び奥行き方向に動くことが可能となる。
【００５１】
ここで、スタッド１２４の中心線（円柱の中心を通る線）と透孔１２１ｄ−１の中心を通る中心線とのずれ幅を「Ｄ」とすると、ずれ幅Ｄの最大値＝φＢ−φＡとなる。そして、図５（ｂ）の状態において、スタッド１２４の中心線と透孔１２１ｄ−１との中心線は、ずれ幅Ｄの分だけずれたものとする。
【００５２】
図５（ｃ）は、図５（ｂ）の状態から、カセット側コネクタ端子１１０と装置側コネクタ端子１２０との嵌合が解除された場合の装置側コネクタ端子１２０（スタッド１２４）の状態を示している。
【００５３】
図５（ｂ）の状態から、カセット側コネクタ端子１１０と装置側コネクタ端子１２０との嵌合が解除（カセット側コネクタ端子１１０が上方向に持ち上げられる）されると、板部１２１ｂはスプリング１２５−１、１２５−２によってスタッド１２４−１のテーパ部１２４ｂ−１に沿って接触しながら押し上げられるため、図５（ｂ）でずれ(最大φＢ−φＡ)が発生していた場合でも、図５（ｃ）の時点で、このずれは大きく修正される。ここで、φＡ＜φＣ＜φＢ、φＣ≒φＢとすると、図５（ｃ）の時点におけるずれ幅Ｄは、φＢ−φＣ（≒０）となる。
【００５４】
（Ａ−３）実施形態の効果
この実施形態によれば、以下のような効果を奏することができる。
【００５５】
スタッド１２４にテーパ部１２４ｂを設けることにより、装置本体３００からカセット本体２００をはずした状態において発生するずれ幅Ｄを低減することができる。
【００５６】
図６は、装置側コネクタ端子１２０のスタッド１２４に、テーパ部１２４ｂを設けなかった場合と、設けた場合に発生するずれ幅Ｄの差異について説明している。
【００５７】
図６（ａ）は、スタッド１２４に、テーパ部１２４ｂを設けなかった場合において、カセット本体２００を装置本体３００にセットした状態で発生する最大のずれ幅Ｄを示している。図６（ｂ）は、スタッド１２４に、テーパ部１２４ｂを設けなかった場合において、装置本体３００からカセット本体２００をはずした状態で発生する最大のずれ幅Ｄを示している。図６（ｃ）は、スタッド１２４に、テーパ部１２４ｂを設けた場合において、カセット本体２００を装置本体３００にセットした状態で発生する最大のずれ幅Ｄを示している。図６（ｄ）は、スタッド１２４に、テーパ部１２４ｂを設けた場合において、装置本体３００からカセット本体２００をはずした状態で発生する最大のずれ幅Ｄを示している。
【００５８】
スタッド１２４に、テーパ部１２４ｂを設けなかった場合には、図６（ａ）、（ｂ）に示すように、カセット本体２００を装置本体３００にセットした状態、装置本体３００からカセット本体２００をはずした状態では、ともに、最大φＢ−φＡのずれ幅Ｄが発生する。
【００５９】
一方、スタッド１２４に、テーパ部１２４ｂを設けた場合には、図６（ｄ）に示すように、装置本体３００からカセット本体２００をはずした状態で発生する最大のずれ幅Ｄは、上述の通りφＢ−φＣ（≒０）（ただし、φＡ＜φＣ＜φＢ、φＣ≒φＢ）に軽減することができる。
【００６０】
このように、コネクタ１００では、スタッド１２４に、テーパ部１２４ｂを設けることにより、カセット本体２００を装置本体３００にセットした状態で発生するずれ幅Ｄを、φＢ−φＡからφＢ−φＣに軽減することができ、（φＢ−φＡ）−（φＢ−φＣ）＝φＣ−φＡだけ、カセット側コネクタ端子１１０と装置側コネクタ端子１２０とを嵌合する際のずれ幅を軽減することができる。
【００６１】
また、図６（ｃ）に示すように、カセット本体２００を装置本体３００にセットした状態で許容するずれ幅Ｄは、最大φＢ−φＡとなり、図６（ｃ）の状態よりも多くずれを許容することができるため、装置本体３００からカセット本体２００をはずした状態で発生する最大のずれ幅Ｄを軽減しつつ、カセット本体２００を装置本体３００にセットした状態でのコネクタ端子の破損等を防止する効果を高めることができる。
【００６２】
（Ｂ）他の実施形態
本発明は、上記の実施形態に限定されるものではなく、以下に例示するような変形実施形態も挙げることができる。
【００６３】
（Ｂ−１）上記の実施形態では、装置側コネクタ端子１２０の動作を規制する留具の例としてスタッドを挙げたが、例えば、同様のテーパが付与されたリベットやボルト等、他の留具を適用しても良い。
【００６４】
（Ｂ−２）上記の実施形態においては、コネクタ１００は、カセット本体２００と装置本体３００との間で電気信号の授受や、電力供給するためのコネクタであるものとして説明したが、単に、カセット本体２００と装置本体３００とを固定するものとしても良い。その場合、コンタクト１１２、１２２や、被覆導線１１３、１２３は省略することができる。
【００６５】
（Ｂ−３）上記の実施形態では、カセット側コネクタ端子１１０が雌型（凸型）で、装置側コネクタ端子１２０が雄型（凹型）として説明したが、雄型と雌型を逆にしても良い。また、上記の各実施形態では、カセット側コネクタ端子１１０と装置側コネクタ端子１２０の両方がテーパ部を有しているが、いずれか一方のみがテーパ部を有する形状としても良いし、両方ともテーパ部を有さない形状としても良い。また、上記の各実施形態において、カセット側コネクタ端子１１０、装置側コネクタ端子１２０は、四角柱の形状であるものとして説明したが、円柱やその他の角柱等、他の形状としても良い。また、上記の実施形態において、板部１２１ｂは四角形のパネル形状であるものとして説明したが、円形等他の形状としても良い。このように、カセット側コネクタ端子１１０と装置側コネクタ端子１２０の形状は、互いに嵌合する形状であれば、その具体的な形状は限定されないものである。
【００６６】
（Ｂ−４）上記の実施形態において、スタッド１２４は、円柱形状であるものとして説明したが、角柱等他の形状としても良い。また、透孔１２１ｄ−１、１２１ｄ−２も、円形ではなく、多角形等他の形状としても良い。
【００６７】
（Ｂ−５）上記の実施形態で、装置側コネクタ端子１２０において、嵌合凸部１２１ａの先端は上方向を向き、板部１２１ｂは水平になるように配置されているが、装置側コネクタ端子１２０を配置する向きは限定されないものである。
【００６８】
（Ｂ−６）上記の実施形態では、全てのスタッド１２４に、テーパ部１２４ｂが形成されているものとして説明したが、一部のスタッド１２４にだけテーパ部１２４ｂを形成するようにしても良い。
【００６９】
（Ｂ−７）上記の実施形態では、スタッド１２４において、ヘッド部１２４ａを設けることにより、嵌合部１２１からスタッド１２４が抜けることを防いでいたが、ヘッド部１２４ａを省略して、テーパ部１２４ｂの最も広い外径を、透孔１２１ｄの孔径よりも広くすることにより、嵌合部１２１からスタッド１２４が抜けることを防ぐようにしても良い。また、上記の実施形態では、スタッド１２４が透孔１２１ｄに当接する部分の一部だけがテーパ部１２４ｂとなっているが、全体をテーパ面として形成するようにしても良い。
【００７０】
（Ｂ−８）上記の実施形態においては、装置側コネクタ端子１２０にだけ、スタッド１２４及びスプリング１２５を備えているが、カセット側コネクタ端子１１０側にも、装置側コネクタ端子１２０と同様に、スタッド１２４及びスプリング１２５を備えたコネクタ端子として構成するようにしても良い。
【符号の説明】
【００７１】
１００…コネクタ、１１０…カセット側コネクタ端子、１１１…被嵌合部、１１１ａ…嵌合凹部、１１１ｂ…テーパ部、１１２…コンタクト、１１３…被覆導線、１２０…装置側コネクタ端子、１２１…嵌合部、１２１ａ…嵌合凸部、１２１ｂ…板部、１２１ｃ…テーパ部、１２１、１２１ｄ−１、１２１ｄ−２…透孔、１２２…コンタクト、１２３…被覆導線、１２４、１２４−１、１２４−２…スタッド、１２４ａ、１２４ａ−１、１２４ａ−２…ヘッド部、１２４ｂ、１２４ｂ−１、１２４ｂ−２…テーパ部、１２５、１２５−１、１２５−２…スプリング、２００…カセット一面、３００…装置一面。
【図１】
2011054485.tif 000003
【図２】
2011054485.tif 000004
【図３】
2011054485.tif 000005
【図４】
2011054485.tif 000006
【図５】
2011054485.tif 000007
【図６】
2011054485.tif 000008